【事件の表示】
　特願２００１−２０５４８７「造影剤注入による放射線検査の方法及び装置」拒絶査定不服審判事件〔平成１４年　４月２３日出願公開、特開２００２−１１９５０１〕について、次のとおり審決する。
【結　論】
　本件審判の請求は、成り立たない。
【理　由】
Ｉ．手続の経緯  
　本願は、平成１３年７月６日（パリ条約による優先権主張２０００年７月７日、仏国）の出願であって、平成１６年１２月２１日付けで拒絶査定がなされ（発送日：平成１７年１月５日）、これに対し、平成１７年４月１日に拒絶査定不服審判が請求されるとともに、手続補正がなされたものである。 
II．平成１７年４月１日付けの手続補正についての補正却下の決定 
［補正却下の決定の結論］  
　平成１７年４月１日付けの手続補正を却下する。 
　 
［理由］ 
１．平成１７年４月１日付け手続補正（以下、「本件補正」という。） 
　本件補正は、補正前の特許請求の範囲の記載（平成１６年１１月１７日付けで補正、以下同じ。）： 
「【請求項１】 臓器の放射線検査方法であって、
（ａ）第１の画像と少なくとも１つの第２の画像から、前記臓器の組織内に生じたコントラストの表示画像を計算するステップを含み、
　前記第１の画像は検査対象の臓器内に造影剤が注入される前に該臓器の方向に放出されたＸ線ビームを用いて取得されたものであり、前記少なくとも１つの第２の画像は検査対象の臓器内に造影剤が注入された後であって前記臓器の減衰係数と前記造影剤の減衰係数の比が上昇している間に該臓器の方向に放出されたＸ線ビームを用いて取得されたものである方法。
【請求項２】 造影剤により減衰を強調しているフェーズの後に少なくとも１つの第２の画像が取得される、請求項１に記載の方法。
【請求項３】 前記第２の画像が時間的に均等に分布している、請求項１または２に記載の方法。
【請求項４】 造影剤により減衰を強調しているフェーズ中では、該フェーズの後よりも短い間隔で第２の画像を取得する、請求項１または２に記載の方法。
【請求項５】 減衰フェーズの終了時点で第２の画像が取得され、かつ前記フェーズが終了して数分後に第３の画像が取得される、請求項１または２に記載の方法。
【請求項６】 第２の画像の各々から第１の画像が差し引かれる、請求項１または２に記載の方法。
【請求項７】 前記差分画像が空間フィルタ処理される、請求項６に記載の方法。
【請求項８】 前記画像が厚さ画像に変換される、前記請求項１乃至７のいずれか一項に記載の方法。
【請求項９】 前記検査がマンモグラフィである、前記請求項１乃至８のいずれか一項に記載の方法。
【請求項１０】 造影剤を検査対象の臓器内に注入する手段と、
エネルギ・ビームを放出する手段と、
前記エネルギ・ビームを受け取って、造影剤が注入される前において取得された入射エネルギ・ビームを表す第１の画像と、造影剤が注入された後であって前記臓器の減衰係数と前記造影剤の減衰係数の比が上昇している間に取得された入射エネルギ・ビームを表す前記少なくとも１つの第２の画像の出力を送信することができる手段と、
前記放出手段を制御しかつ前記エネルギ・ビームを受け取る手段からのデータを処理し、前記臓器の組織内に生じたコントラストの表示画像を計算する処理手段と、
を備える放射線装置。
【請求項１１】 前記処理手段は、造影剤の厚さの表示画像を作成することができる、請求項１０に記載の装置。
【請求項１２】 コンピュータ上で実行させる際に、前記請求項１乃至９のいずれか一項に記載の方法の各ステップを適用するためのプログラム・コードの提供手段を備えているコンピュータ・プログラム。
【請求項１３】 プログラム・コードの提供手段を読み取るデバイスにより読み取り可能な記憶媒体であって、前記プログラム・コードの提供手段は該記憶媒体内に格納されると共にプログラムをコンピュータ上で実行させる際に前記請求項１乃至９のいずれか一項に記載の方法の各ステップの適用に適している、記憶媒体。」
を、 
「【請求項１】 臓器の放射線検査方法であって、
（ａ）第１の画像と少なくとも１つの第２の画像から、前記臓器の組織内に生じたコントラストの表示画像を計算するステップを含み、
　前記第１の画像は検査対象の臓器内に造影剤が注入される前に該臓器の方向に放出されたＸ線ビームを用いて取得されたものであり、前記少なくとも１つの第２の画像は検査対象の臓器内に造影剤が注入された後であって前記臓器の減衰係数と前記造影剤の減衰係数の比
が高くなる状態において
【請求項２】 造影剤により減衰を強調しているフェーズの後に少なくとも１つの第２の画像が取得される、請求項１に記載の方法。
【請求項３】 前記第２の画像が時間的に均等に分布している、請求項１または２に記載の方法。
【請求項４】 造影剤により減衰を強調しているフェーズ中では、該フェーズの後よりも短い間隔で第２の画像を取得する、請求項
２
【請求項５】 減衰フェーズの終了時点で第２の画像が取得され、かつ前記フェーズが終了して数分後に第３の画像が取得される、請求項
２
【請求項６】 第２の画像の各々から第１の画像が差し引かれる、請求項１または２に記載の方法。
【請求項７】 前記差分画像が空間フィルタ処理される、請求項６に記載の方法。
【請求項８】 前記画像が厚さ画像に変換される、前記請求項１乃至７のいずれか一項に記載の方法。
【請求項９】 前記検査がマンモグラフィである、前記請求項１乃至８のいずれか一項に記載の方法。
【請求項１０】 造影剤を検査対象の臓器内に注入する手段と、
エネルギ・ビームを放出する手段と、
前記エネルギ・ビームを受け取って、造影剤が注入される前において取得された入射エネルギ・ビームを表す第１の画像と、造影剤が注入された後であって前記臓器の減衰係数と前記造影剤の減衰係数の比
が高くなる状態において
前記放出手段を制御しかつ前記エネルギ・ビームを受け取る手段からのデータを処理し、前記臓器の組織内に生じたコントラストの表示画像を計算する処理手段と、
を備える放射線装置。
【請求項１１】 前記処理手段は、造影剤の厚さの表示画像を作成することができ
、前記造影剤は、ヨウ素を含んでおり、前記放射線装置は、前記臓器の減衰係数と前記造影剤の減衰係数の比を高くするため、前記放出されたエネルギ・ビームのエネルギを３３乃至４５ｋｅＶとなるように調節する銅製のフィルタを更に備えている、
【請求項１２】 コンピュータ上で実行させる際に、前記請求項１乃至９のいずれか一項に記載の方法の各ステップを適用するためのプログラム・コードの提供手段を備えているコンピュータ・プログラム。
【請求項１３】 プログラム・コードの提供手段を読み取るデバイスにより読み取り可能な記憶媒体であって、前記プログラム・コードの提供手段は該記憶媒体内に格納されると共にプログラムをコンピュータ上で実行させる際に前記請求項１乃至９のいずれか一項に記載の方法の各ステップの適用に適している、記憶媒体。」（下線は補正箇所を示す。） 
と補正しようとするものである。 
　 
２．目的外補正について
　検査対象の臓器内に造影剤が注入された後に取得される第２の画像の取得条件である、本件補正前の請求項１及び１０における「前記臓器の減衰係数と前記造影剤の減衰係数の比が上昇している間に」が、本件補正により「前記臓器の減衰係数と前記造影剤の減衰係数の比
が高くなる状態において
　
（１）本件補正後の記載の技術的意味
　本件補正後の、「前記臓器の減衰係数と前記造影剤の減衰係数の比
が高くなる状態において
「【００４３】
　高画質を得るためには、Ｘ線源の陽極を構成する材料、フィルタの組成、供給する高電圧及び造影剤を、整合した様式で選択することが推奨される。【００４４】
　例えば、図４は、造影剤として使用することができるヨウ素の線減衰係数の推移をｋｅＶ単位で表現されるＸ線エネルギの関数として表したものである。この減衰曲線は３３ｋｅＶの周辺において、値が大きくなる方向では傾斜が緩やかで値が小さくなる方向では傾斜が急であるような極大値を示していることが分かる。
【００４５】
　図５は、脂肪組識の線減衰係数の曲線をＸ線エネルギの関数として図示したものである。図４及び５の曲線に対する横座標は同じスケールとしている。脂肪組識は概ね３０〜４５ｋｅＶの値に対して極端に低い減衰係数を示すことが分かる。概ね１０ｋｅＶ以下の弱いエネルギに対しては、この線減衰係数は大きくなる。
【００４６】
　換言すると、概ね３３〜４５ｋｅＶの領域において、画像のノイズを形成する脂肪組識による弱い減衰の恩恵が得られ、さらに医師の関心対象領域をマークすることを可能にする造影剤により比較的強い減衰の恩恵が得られる。脂肪組識の減衰に対するヨウ素の減衰の比は、一般に、３３〜４５ｋｅＶの範囲では２００を超える大きさとなる。」
と記載がある。
　ここでは、造影剤としてヨウ素を使用した例として、図４に示されるヨウ素の線減衰係数の曲線と、図５に示される臓器の一つである脂肪組織の線減衰係数の曲線とを比較することにより、脂肪組織の減衰係数とヨウ素の減衰係数の比が、３３〜４５ｋｅＶのエネルギ領域で高くなることが示されており、この記載によると、臓器の減衰係数と造影剤の減衰係数の比が高くなる状態とは、放出されたＸ線ビームあるいはエネルギ・ビームのエネルギ（ｋｅＶ）を、臓器の減衰係数と造影剤の減衰係数の比が高くなるように選択した状態を意味するものと解される。
　この解釈は、請求項１０の従属請求項である請求項１１に加入された、「
前記放射線装置は、前記臓器の減衰係数と前記造影剤の減衰係数の比を高くするため、前記放出されたエネルギ・ビームのエネルギを３３乃至４５ｋｅＶとなるように調節する銅製のフィルタを更に備えている
　
（２）本件補正前の記載の技術的意味
　一方、本件補正前の、「前記臓器の減衰係数と前記造影剤の減衰係数の比が上昇している間に」という記載の技術的意味について検討するに、「間」とは、『事と事との中間の時間。また、限られたひと続きの時間。あいま。』（広辞苑第五版、株式会社岩波書店）であり、「前記臓器の減衰係数と前記造影剤の減衰係数の比」が「上昇している間に」とは、「前記臓器の減衰係数と前記造影剤の減衰係数の比」が「上昇している時間に」と言い替えることができる。
　臓器の減衰係数と造影剤の減衰係数の比に関しては、上記（１）で記したように、本願明細書の発明の詳細な説明の段落【００４３】−【００４６】に記載があり、ここには、臓器の減衰係数と造影剤の減衰係数の比が、放出されるＸ線ビームのエネルギ（ｋｅＶ）に依存することの記載はあるが、放出されるＸ線ビームのエネルギを時間的に変化させて、臓器の減衰係数と造影剤の減衰係数の比を時間的に上昇させることの記載はない。
　ところで、検査対象の臓器内に造影剤が注入されると、臓器内の造影剤が存在する領域は、造影剤が注入される前に比べて、放出されるＸ線ビームあるいはエネルギ・ビームを造影剤が減衰させるので（本願明細書には、「造影剤により減衰を強調しているフェーズ中」（【請求項４】）、「本発明の実施の一形態では、造影剤により減衰を強調しているフェーズ中に少なくとも１つの第２の画像が取得される。」（段落【００１０】）、「本発明の実施の一形態では、造影剤により減衰を強調しているフェーズ（phase；時相）の後に少なくとも１つの第２の画像が取得される。」（段落【００１１】）と記載がある。）、臓器内の造影剤が存在する領域は、当該領域内に造影剤が存在する時間においては、放出されるＸ線ビームあるいはエネルギ・ビームの減衰が上昇することは明らかである。
　そして、「前記臓器の減衰係数と前記造影剤の減衰係数の比が上昇している間に」という記載は、平成１６年８月１１日付けの「請求項１及び１０における「臓器の減衰係数と前記造影剤の減衰係数の比に基づいて該造影剤により減衰を強調しているフェーズ」という記載の意味が不明である」という、特許法第３６条第６項第２号違反を理由とする最後の拒絶の理由の通知に対してなされた、平成１６年１１月１７日付けの手続補正により導入されたものであり、同日に提出された意見書において、「上記拒絶理由通知に際し「臓器の減衰係数と前記造影剤の減衰係数の比に基づいて該造影剤により減衰を強調しているフェーズ」という記載の意味が不明瞭である旨のご指摘がありましたが、当該意見書と同日に提出いたしました手続補正書に記載されておりますように、当該記載は「前記臓器の減衰係数と前記造影剤の減衰係数の比が上昇している間」と補正されており、明瞭であると思料いたします。」と、「前記臓器の減衰係数と前記造影剤の減衰係数の比が上昇している間」は、「臓器の減衰係数と前記造影剤の減衰係数の比に基づいて該造影剤により減衰を強調しているフェーズ中」という記載の意味を明りょうとするためのものである旨出願人が主張していることを考え合わせると、臓器の減衰係数と造影剤の減衰係数の比が上昇している間とは、検査対象の臓器内に造影剤が注入された後の、注入された造影剤によりＸ線ビームあるいはエネルギ・ビームの減衰が上昇している時間、を意味するものと解される。
　
（３）補正の目的
　以上のことから、本件補正前の請求項１及び１０における「前記臓器の減衰係数と前記造影剤の減衰係数の比が上昇している間に」が、(a)注入された造影剤によりＸ線ビームあるいはエネルギ・ビームの減衰が上昇している時間に、を意味し、本件補正後の請求項１及び１０における「前記臓器の減衰係数と前記造影剤の減衰係数の比
が高くなる状態において
　しかしながら、(a)注入された造影剤によりＸ線ビームあるいはエネルギ・ビームの減衰が上昇している時間に、という条件は、いつ第２の画像を取得するかという時間的な条件であるのに対し、(b)放出されたＸ線ビームあるいはエネルギ・ビームのエネルギ（ｋｅＶ）を、臓器の減衰係数と造影剤の減衰係数の比が高くなるように選択した状態において、という条件は、第２の画像を取得する際のＸ線ビームあるいはエネルギ・ビームのエネルギ（ｋｅＶ）の設定条件であり、両条件は物理的な次元が異なるものである。
　したがって、請求項１及び１０において、「前記臓器の減衰係数と前記造影剤の減衰係数の比が上昇している間に」を、「前記臓器の減衰係数と前記造影剤の減衰係数の比
が高くなる状態において
　
　したがって、本件補正は、特許法第１７条の２第４項各号に規定する要件を満たしておらず、同法第１５９条第１項において読み替えて準用する同法第５３条第１項の規定により却下すべきものである。
　
III．本願発明について  
１．本願発明 
　平成１７年４月１日付けの手続補正は上記のとおり却下されたので、本願の請求項１−１３に係る発明は、本件補正前の、平成１６年１１月１７日付け手続補正書により補正された明細書の特許請求の範囲の請求項１−１３に記載された事項により特定されるものと認められるところ、その請求項１０に係る発明は、
　
「造影剤を検査対象の臓器内に注入する手段と、
エネルギ・ビームを放出する手段と、
前記エネルギ・ビームを受け取って、造影剤が注入される前において取得された入射エネルギ・ビームを表す第１の画像と、造影剤が注入された後であって前記臓器の減衰係数と前記造影剤の減衰係数の比が上昇している間に取得された入射エネルギ・ビームを表す少なくとも１つの第２の画像の出力を送信することができる手段と、
前記放出手段を制御しかつ前記エネルギ・ビームを受け取る手段からのデータを処理し、前記臓器の組織内に生じたコントラストの表示画像を計算する処理手段と、
を備える放射線装置。」
にあるものと認める。
　なお、請求項１０には「前記少なくとも１つの第２の画像」と記載があるが、請求項１０は独立形式の請求項であり他の請求項を引用するものではなく、また、請求項１０には上記記載に対応する記載が存在しないので、上記記載は「少なくとも１つの第２の画像」の誤記と認め、請求項１０に係る発明（以下「本願発明」という。）を上記のように認定した。
　
２．引用刊行物記載の発明 
　原査定の拒絶の理由に引用した、本願出願日前に頒布された刊行物である特開昭６０−１０８０３４号公報（以下「引用刊行物１」という。）には、「Ｘ線診断装置」に関する発明が記載されており、図面とともに次の事項が記載されている。
　
（ア）「［発明の目的］
　本発明は、前記事情に鑑みてなされたものであり、被写体内に注入された造影剤の濃度の時間的変化を検出することにより血管系とそれ以外の部分とを明確に識別し、血管像を強調してモニタ画面に表示し得るＸ線診断装置の提供を目的とするものである。
　［発明の概要］
　本発明は、被写体を透過して得られたＸ線像を電気信号に変換してマスク像を得、経時的に得られるデータと、マスク像とのサブトラクシヨン処理を行なつて経時的に得られるサブトラクシヨンデータを画像表示するＸ線診断装置において、前記サブトラクシヨンデータを入力し所定値との比較においてサブトラクシヨンデータの濃度が変化した場合に判別信号を出力する判別部と、該判別部の出力によつてゲートを開いて前記サブトラクシヨンデータを表示部に送出するゲート手段とを設けたことを特徴とするＸ線診断装置。」（第１ページ右下欄２０行−第２ページ左上欄第１８行）
（イ）「同図において、１はＸ線発生器、２はＸ線検出器、イメージインテシフアイア、撮像管等からなるデータ収集部、Ｍは被写体である。
　データ収集部２の出力はアナログ・デイジイタル変換部（以下「Ａ／Ｄ変換器」という）３によりデイジタル信号に変換され、フレームメモリ４に記憶されるようになっている。フレームメモリ４の一方の出力とマスクメモリ５の一方の出力とがマスク像処理部の加算器６に入力され、加算器６の出力がマスクメモリ５に入力されるようになつている。
　任意指定枚数加算後、スイツチＳＷが開きマスクメモリ５の他方の出力は除算器７を介し符号反転して加算器８に入力され、この入力と前記フレームメモリ４の他方の出力とが加算器８により減算処理（以下「サブトラクシヨン処理」という）される。加算器８の出力と判別部２０を構成するバツフアメモリ９の一方の出力とが加算器１０により加算され、加算器１０の出力はバツフアメモリ９に帰還されるようになつている。
　バツフアメモリ９の他方の出力は、除算器１１を介して閾値処理部１２に入力され、その閾値処理部１２の一方の出力は遅延回路を経て第１のフラグメモリ１３に入力されている。
　第１のフラグメモリ１３の出力と前記閾値処理部１２の他方の出力はそれぞれ排他的オアゲート１４に入力され、その排他的オアゲート１４の出力と、第２のフラグメモリ１６の一方の出力とがオアゲート１５に入力されている。
　オアゲート１５の出力は第２のフラグメモリ１６に帰還され、第２のフラグメモリ１６の他方の出力は判別部２０の出力としてゲート手段１７に入力されている。
　ゲート手段１７の他方の入力として、前記減算器８の出力が導入されている。
　ゲート手段１７の出力は画像の表示部１８に入力されている。
　次に上記構成からなる装置の動作を詳述する。
　造影剤混入前の被写体ＭにＸ線発生器１からＸ線を曝射し、データ収集部２により被写体Ｍの画像データを電気信号に変換し、さらにＡ／Ｄ変換器３によりデイジタル信号に変換してフレームメモリ４に蓄える。さらに、このフレームメモリ４から任意に選択した造影剤混入前の画像データをマスクメモリ５に転送し、加算器６及び除算器７を介してｍ枚の加算平均をとつたものをマスク像とする。
　次に、被写体Ｍに造影剤を混入し、既述した処理によりフレームメモリ４に造影剤混入後の画像データを蓄える。
　そして、符号反転された前記マスク像とフレームメモリ４に蓄えられた画像データとを加算器８により順次サブトラクシヨン処理する。この操作をある所定時間繰り返し、ｎフレームのサブトラクシヨン像を得る。
　このサブトラクシヨン像のうち、第１フレームの内容をバツフアメモリ９に記憶し、第２フレーム以降順次バツフアメモリ９との間で加算器１０による加算処理を行ない、その結果をバツフアメモリ９に帰還する。
　一方、バツフアメモリ９の一画素毎について、除算器１１により加算平均を取り、閾値処理部１２へ入力する。
　閾値処理部１２では、除算器１１の出力と、第６図に示すように任意に設定したスレシヨルドレベルＴとの間で比較演算を行ない、除算器１１の出力がスレシヨルドレベルＴを超えていた場合に”１”、それ以下の場合に”０”を出力する。
　閾値処理部１２の出力は遅延回路を介して、第１のフラグメモリ１３に転送され、第１のフラグメモリ１３の内容を更新する。
　そして、フラグメモリ１３の出力と閾値処理部１２の出力とは排他的オアゲート１４に入力され、フラグの変化（”１”→”０”，”０”→”１”）を検出する。
　このようにして、排他的オアゲート１４によりフラグの変化を検出し、その出力をオアゲート１５に入力する。
　オアゲート１５には、第２のフラグメモリ１６の一方の出力が入力され、フラグの変化が起きた画素がオアゲート１５により検出されて、その結果が第２のフラグメモリ１６に帰還される。
　ここで、第２のフラグメモリ１６の内容は、第１図に示す演算処理前の画像に対し、第２図に示すような濃度変化の検出ができなかつた部分にマスクをかけたような状態となる。
　このフラグメモリ１６の出力と前記サブトラクシヨン処理した画像とがゲート手段１７に導かれ、フラグメモリ１６の出力が１のときのみサブトラクシヨン像がゲート手段１７から出力される。
　したがつて、表示部１８の画面には、第１図に示す演算処理前の画像と第２図に示す演算処理後の画像とを重ね合わせた画像が表示されることになり、第３図に示すように造影剤が混入された血管が強調された明確な画像を得ることができる。」（第２ページ左下欄第１７行−第３ページ右下欄第１０行）
　
　ここで、引用刊行物１には、「Ｘ線発生器１」、「データ収集部２」等の各手段を統括的に制御する手段についての記載はないものの、放射線装置において、放射線発生手段、放射線検出器等の各手段を、制御手段で統括的に制御することは、放射線装置において技術常識である（例えば、特開平４−１８０７３８号公報参照。）ことを考慮すると、引用刊行物１には、次の発明（以下「引用発明１」という。）が記載されているものと認められる。
　
「Ｘ線発生器１と、
　該Ｘ線発生器１の曝射を制御する手段と、
　前記Ｘ線発生器１から曝射され被写体Ｍを透過したＸ線を検出して、前記被写体Ｍ内に造影剤を注入する前に収集した画像データと、前記被写体Ｍ内に造影剤を注入した後に収集した画像データとを出力するデータ収集部２と、
　造影剤注入後に経時的に収集した複数枚の各画像データと、造影剤注入前に収集した画像データを任意枚数加算平均したマスク像を符号反転したものとを加算してサブトラクシヨン処理して、表示部１８に送られるサブトラクシヨン処理した画像データを出力する加算器８と、
を備えたＸ線診断装置。」
　
３．対比
　本願発明と引用発明１とを対比する。
　引用発明１の、 (a)「Ｘ線」は、本願発明の(a)「エネルギ・ビーム」に相当することは明らかであり、引用発明１の、
(b)「Ｘ線発生器１」、(c)「前記Ｘ線発生器１から曝射され前記被写体Ｍを透過したＸ線を検出して、前記被写体Ｍ内に造影剤を注入する前に収集した画像データ」、(d)「該Ｘ線発生器１の曝射を制御する手段」、(e)「Ｘ線診断装置」
は、それぞれ本願発明の、
(b)「エネルギ・ビームを放出する手段」、(c)「前記エネルギ・ビームを受け取って、造影剤が注入される前において取得された入射エネルギ・ビームを表す第１の画像」、(d)「前記放出手段を制御」する「処理手段」、(e)「放射線装置」
に相当することは明らかである。
　また、本願発明における「前記臓器の減衰係数と前記造影剤の減衰係数の比が上昇している間」は、上記「II．２．（２）」で検討したように、注入された造影剤によりＸ線ビームあるいはエネルギ・ビームの減衰が上昇している時間、を意味するが、引用発明１は造影剤により血管が強調された画像を得るものであるから、引用発明１における「前記Ｘ線発生器１から曝射され前記被写体Ｍを透過したＸ線を検出して、・・・前記被写体Ｍ内に造影剤を注入した後に収集した画像データ」が、注入された造影剤によりＸ線の減衰が上昇している時間に収集したものであることは明らかであるから、上記(c)の相当関係も考慮すると、引用発明１における、(f)「前記Ｘ線発生器１から曝射され前記被写体Ｍを透過したＸ線を検出して、前記被写体Ｍ内に造影剤を注入する前に収集した画像データと、前記被写体Ｍ内に造影剤を注入した後に収集した画像データとを出力するデータ収集部２」は、本願発明における、(f)「前記エネルギ・ビームを受け取って、造影剤が注入される前において取得された入射エネルギ・ビームを表す第１の画像と、造影剤が注入された後であって前記臓器の減衰係数と前記造影剤の減衰係数の比が上昇している間に取得された入射エネルギ・ビームを表す前記少なくとも１つの第２の画像の出力を送信することができる手段」、「前記エネルギ・ビームを受け取る手段」に相当する。
　そして、引用発明１における、「造影剤注入後に経時的に収集した複数枚の各画像データと、造影剤注入前に収集した画像データを任意枚数加算平均したマスク像を符号反転したものとを加算してサブトラクシヨン処理して、表示部１８に送られるサブトラクシヨン処理した画像データを出力する加算器８」は、データ収集部２の出力する画像データを処理して、表示部１８に送るサブトラクシヨン処理した画像を計算するものであるとともに、引用発明１における、(g)「サブトラクシヨン処理した画像」は、本願発明における、(g)「臓器の組織内に生じたコントラストの表示画像」に相当することは明らかであるから、上記(d)の相当関係も考慮すると、引用発明１における、(h)「該Ｘ線発生器１の曝射を制御する手段」と「造影剤注入後に経時的に収集した複数枚の各画像データと、造影剤注入前に収集した画像データを任意枚数加算平均したマスク像を符号反転したものとを加算してサブトラクシヨン処理して、表示部１８に送られるサブトラクシヨン処理した画像データを出力する加算器８」とを合わせた構成は、本願発明における、(h)「前記放出手段を制御しかつ前記エネルギ・ビームを受け取る手段からのデータを処理し、前記臓器の組織内に生じたコントラストの表示画像を計算する処理手段」に相当する。
　したがって、本願発明と引用発明１は、
　
　一致点 
「エネルギ・ビームを放出する手段と、
前記エネルギ・ビームを受け取って、造影剤が注入される前において取得された入射エネルギ・ビームを表す第１の画像と、造影剤が注入された後であ
って前記臓器の減衰係数と前記造影剤の減衰係数の比が上昇している間に取得された入射エネルギ・ビームを表す少なくとも１つの第２の画像の出力を送信することができる手段と、
前記放出手段を制御しかつ前記エネルギ・ビームを受け取る手段からのデータを処理し、前記臓器の組織内に生じたコントラストの表示画像を計算する処理手段と、
を備える放射線装置。」
である点で一致し、次の点で相違する。
　
　相違点 
　本願発明は、造影剤を検査対象の臓器内に注入する手段を備えるのに対し、引用発明１は、その使用に際して造影剤を検査対象の臓器内に注入するものの、造影剤を注入する手段を備えているのか否か明確ではない点。
　
４．判断
　上記相違点について検討する。
　引用発明１の放射線装置における造影剤注入後の第２の画素の取得は、造影剤注入前の第１の画像の取得に続いて行われるものであり、放射線装置の使用時に、該放射線装置の近傍に造影剤を検査対象の臓器内に注入する手段が在ることは明らかである。そして、このような造影剤を注入する手段を、放射線装置に併設することは、特開平１０−２９５６８０号公報（第６ページ右欄第４０−４３行）、特開平８−２６６５２７号公報（第２ページ左欄第２４−３８行）、特開平８−７９６２８号公報（第２ページ左欄第２１−４２行）にも記載されたとおり周知である。
　よって、引用発明１において、上記周知技術に倣って、放射線装置に造影剤を検査対象の臓器内に注入する手段を併設することは、当業者が容易になし得ることである。
　
　そして、本願発明の作用効果も、引用刊行物１及び上記周知技術から当業者であれば予測できる範囲のものである。　 
　したがって、本願発明は、引用刊行物１に記載された発明及び上記周知技術に基づいて、当業者が容易に発明をすることができたものである。 
　 
５．むすび 
　以上のとおり、本願の請求項１０に係る発明は、特許法第２９条第２項の規定により特許を受けることができないものである。 
　よって、結論のとおり審決する。